(57)【要約】【課題】  患者が仰臥姿勢をとった場合でも部分的に体が沈み込むようなことがなく、且つ褥瘡の多発症部位である仙骨部位等にも過度の圧力集中が生じないような褥瘡予防用マットの開発を試みたものである。【解決手段】  本発明のの褥瘡予防用マットＭは、長方形状の発泡マット素材１の受圧断面方向中間にシリコーンゲル素材から成る受圧適化部２を形成して患者が仰臥位で用いる褥瘡予防用マットＭであって、前記発泡マット素材１は、受圧適化部２を挟んで上下に複数の硬度を異ならせたマット素材層１Ａ、１Ｂにより形成され、一方前記受圧適化部２は、細長形状をした小片状のシート素材２０が複数片発泡マット素材１の長手方向に亘って並列状態に配設され、且つ前記受圧適化部２は、針入度（ＪＩＳＫ２２０７）５０〜２５０であることを特徴として成るものである。【選択図】図１
2011031066.tif 000002
【特許請求の範囲】
【請求項１】
長方形状の発泡マット素材の受圧断面方向中間にシリコーンゲル素材から成る受圧適化部を形成して患者が仰臥位で用いる褥瘡予防用マットであって、前記発泡マット素材は、受圧適化部を挟んで上下に複数の硬度を異ならせたマット素材層により形成され、一方前記受圧適化部は、細長形状をした小片状のシート素材が複数片発泡マット素材の長手方向に亘って並列状態に配設され、且つ前記受圧適化部は、針入度（ＪＩＳＫ２２０７）５０〜２５０であることを特徴とする褥瘡予防用マット。
【請求項２】
前記受圧適化部を構成する小片状のシート素材は、その長手方向の中間部位を挟んでその両側に一対の接着強化孔を有し、この接着強化孔の部位において上下のマット素材層が相互に接着し、受圧適化部を保持した状態としていることを特徴とする請求項１記載の褥瘡予防用マット。
【請求項３】
前記発泡マット素材は、シリコーンゲル素材から成る受圧適化部より上方のものは下方のものに比べて硬度を柔らかく設定していることを特徴とする請求項１または２記載の褥瘡予防用マット。
【請求項４】
前記シリコーンゲル素材から成る受圧適化部は、受圧値に応じその受圧状態を変えていることを特徴とする請求項１、２または３記載の褥瘡予防用マット。
【請求項５】
前記マット素材層は、シリコーンゲル素材から成る受圧適化部を挟んで上下に一層ずつ形成されており、上方のマット素材層はアスカ硬度（Ｆ型）５〜３５、下方のマット素材層はアスカ硬度（Ｆ型）１０〜６０であることを特徴とする請求項３または４記載の褥瘡予防用マット。
【発明の詳細な説明】
【技術分野】
【０００１】
本発明は、寝たきり状態の患者に発症することのある床擦れないしは褥瘡と呼ばれる症状を防止する効果を高めた、褥瘡予防用マットに関するものである。
【背景技術】
【０００２】
いわゆる寝たきり状態の高齢者や療養者の患者にとっては、ベッド上で一定姿勢を長時間継続することによる床擦れ等が発症するおそれがあり、このため常に体位変換等の介護を必要としている。もとより患者に対しこのような充分な体位変換や体の清拭等の介護がなされている場合には、いわゆる床擦れと称される褥瘡の発症がかなりの割合で防止できるものの、現在の公共的ないしは在宅での介護の現状では理想的な人的介護を求めるには限界がある。
【０００３】
このような現状から装具面での褥瘡発症の予防を図るために、幾つかの提案がなされている。これらの着眼の多くは褥瘡の多発症部位である例えば仙骨部位等において、圧力が集中していることから、この圧力を軽減するような方向の対応をとること、あるいは褥瘡の発症が通気状態に極めて影響されるという着眼から通気性を確保するという視点での開発等が行われている。
【０００４】
ところで本発明者は、褥瘡発症の原因を推定してゆく中で、通気性はもとよりであるが、褥瘡多発症部位への圧力集中を排除する方向での改善も極めて有効であるとの知見を得た。このような観点から見ると、一般的に寝具用のマット素材として利用されている発泡ポリウレタン等にあっては、その硬度の硬いものは部分的に体位の圧力が集中しがちで、褥瘡の発症を誘発する傾向があり、一方、柔らかい場合には圧力分散の効果があって、仙骨部位等への圧力集中は排除できるものの、患者の体位が沈み込むとともに屈曲してしまい、他の障害を誘発する等、いずれも二律背反的な技術的不完全さを有していた。
【０００５】
例えば先行技術文献としては、以下の先行技術文献が挙げることができるが、このうち特許文献１〜４のものは、いずれもいわゆるクッション性の向上までの改良に留まっており、人の身体構造、骨格構造と関連付けて耐圧分散と体位の沈み込みによる不適切な屈曲の防止とを両立させることはできない。
また耐圧分散と体位の沈み込みによる不適切な屈曲の防止を両立させる技術として、先行技術文献５、６を一例とするウォーターベッドが従来使用されており、ギャッジ対応できるような技術も各種提案されている。
しかしながらこのものは、水が多量に必要であり、重量も大きく、また水濡れリスク、揺れによる不安定性などのウォーターベッド特有の課題があり、必ずしも使い勝手が良いものではなかった。
【先行技術文献】
【特許文献】
【０００６】
【特許文献１】特開平５−０７６６６３号公報
【特許文献２】特開平９−２７１４２４号公報
【特許文献３】実願昭６１−１２１１７９号（実開昭６３−２７１９９号）のマイクロフィルム
【特許文献４】特開２０００−２３７９５号公報
【特許文献５】特開平８−２０５９６６号公報
【特許文献６】実願昭６３−１５２４１３号（実開平２−７４０２４号）のマイクロフィルム
【発明の概要】
【発明が解決しようとする課題】
【０００７】
本発明はこのような背景を考慮してなされたものであって、すでに本出願人が実質的に関与、蓄積している、緩衝基材にシリーンゲルを組み合わせ、目的機能を得る技術（特許第２８０８０１１号「乗物用の座席シート」や特開平１−２９９３３８号「緩衝材」）を更に応用発展させることによって、患者が仰臥姿勢をとった場合でも部分的に体が沈み込むようなことがなく、且つ褥瘡の多発症部位である仙骨部位等にも過度の圧力集中が生じないような発泡素材をベースとした褥瘡予防用マットの開発を試みたものである。
【課題を解決するための手段】
【０００８】
すなわち請求項１記載の褥瘡予防用マットは、長方形状の発泡マット素材の受圧断面方向中間にシリコーンゲル素材から成る受圧適化部を形成して患者が仰臥位で用いる褥瘡予防用マットであって、前記発泡マット素材は、受圧適化部を挟んで上下に複数の硬度を異ならせたマット素材層により形成され、一方前記受圧適化部は、細長形状をした小片状のシート素材が複数片発泡マット素材の長手方向に亘って並列状態に配設され、且つ前記受圧適化部は、針入度（ＪＩＳＫ２２０７）５０〜２５０であることを特徴として成るものである。
【０００９】
また請求項２記載の褥瘡予防用マットは、前記請求項１記載の要件に加え、前記小片状のシート素材は、その長手方向の中間部位を挟んでその両側に一対の接着強化孔を有し、この接着強化孔の部位において上下のマット素材層が相互に接着し、受圧適化部を保持した状態としていることを特徴として成るものである。
【００１０】
更にまた請求項３記載の褥瘡予防用マットは、前記請求項１または２記載の要件に加え、前記発泡マット素材は、シリコーンゲル素材から成る受圧適化部より上方のものは下方のものに比べて硬度を柔らかく設定していることを特徴として成るものである。
【００１１】
更にまた請求項４記載の褥瘡予防用マットは、前記請求項１、２または３記載の要件に加え、前記シリコーンゲル素材から成る受圧適化部は、受圧値に応じその受圧状態を変えていることを特徴として成るものである。
【００１２】
更にまた請求項５記載の褥瘡予防用マットは、前記請求項３または４記載の要件に加え、前記マット素材層は、シリコーンゲル素材から成る受圧適化部を挟んで上下に一層ずつ形成されており、上方のマット素材層はアスカ硬度（Ｆ型）５〜３５、下方のマット素材層はアスカ硬度（Ｆ型）１０〜６０であることを特徴として成るものである。
【発明の効果】
【００１３】
本発明は以上述べたような構成を有するものであり、患者Ｐの仰臥姿勢での良好な姿勢維持を図りながら全体の圧力分散を図り、且つ部分的な褥瘡多発症部位への圧力集中をも排除し、もって褥瘡発症を予防し得たものである。
【００１４】
まず請求項１記載の発明によれば、受圧適化部によりいわば発泡マット素材単体のものに比べ、このものに全体としていわゆる「コシ」を与え、仰臥位での好適な姿勢の維持と、褥瘡発症を誘発する過度の圧力集中の排除とをなし得る。
【００１５】
また請求項２記載の発明によれば、受圧適化部と発泡マット素材が一体化しており、例えば褥瘡予防用マットの使用形態、例えば平板状にしたり、折り曲げたりする場合における一体性を確保し得る。
【００１６】
また請求項３記載の発明によれば、発泡マット素材は、各マット素材層により患者にとって圧力分散させつつ、過度の沈み込みを防止した好適な仰臥姿勢の支持状態が得られる。
【００１７】
また請求項４記載の発明によれば、圧力の集中しがちな部位の圧力分散を図りながら患者を支持することができる。
【００１８】
また請求項５記載の発明によれば、マット素材層の性状を好適なものを選択したものであり、患者の仰臥位での好適な姿勢の維持と褥瘡発症を誘発する過度の圧力集中を排除したものである。
【図面の簡単な説明】
【００１９】
【図１】本発明の褥瘡予防用マットの使用状態並びに一部を破断して示す斜視図である。
【図２】同上構成素材を分離して示す斜視図並びに一部拡大断面図である。
【図３】受圧適化部に接着強化孔を形成した他の実施の形態を示す分解斜視図並びに一部拡大断面図である。
【図４】受圧適化部の形態を異ならせた他の態様を示す断面図である。
【図５】使用時における褥瘡予防用マットの受圧面を示す平面図である。
【発明を実施するための形態】
【００２０】
本発明を実施するための形態は、以下述べる実施例をその一つとするものであるとともに、この技術思想に基づく種々の改良した実施例も含むものである。
【００２１】
以下本発明を図示の実施の形態に基づいて具体的に説明する。図１において符号Ｍは褥瘡予防用マットであり、適宜のベッドＢに敷き、患者Ｐが主として仰臥姿勢で寝るようにして用いるものである。この褥瘡予防用マットＭは、発泡マット素材１を適宜充分な厚さ、例えば５０ｍｍ〜１５０ｍｍ程度の厚さとしたものを用い、更にその受圧断面方向、すなわち垂直断面方向の中間部にシリコーンゲル素材から成る受圧適化部２を設け、更に発泡マット素材１は、その表面にカバーシート３を具えて成る。もちろん実際に使用するには、このカバーシートの少なくとも上面に更に頻繁に取り替えに対応できるようにシーツ５を組み合わせて用いることが好ましい。
【００２２】
以下これら各構成部材について説明する。まず発泡マット素材１は一例として長さ１９５０ｍｍ、幅８３０ｍｍ、厚さ６０ｍｍ程度の形状を有するものであって、素材としては発泡ポリウレタン（実施例の表においてはＰＵフォームと省略記載する）等の発泡樹脂を一例として適用する。もちろんこの発泡マット素材１の表面等は平板状のもののほか、凹凸状に形成する手法がとり得る。そしてこの発泡マット素材１は二層のマット素材層１Ａ、１Ｂにより構成し、それぞれの硬度を変える。例えばマット素材層１Ａについては、この種の素材の硬度を表す業界基準となっているアスカ硬度値はＦ＝１４程度のものを用い、またマット素材層１Ｂはそれより硬いものを選択するものであって、アスカ硬度値はＦ＝３５程度のものを用いるものであり、少なくとも前記受圧適化部２より上方のものを柔らかく、下方のものを硬く設定することが好ましい。もとより前記アスカ硬度の値については、マット素材層１Ａ、１Ｂの厚さ寸法との関係等があるが、目的が達成できる範囲で適宜選択が可能である。またマット素材層１Ａ、１Ｂも当然ながら二層に限らず三層以上の複数層であっても差し支えないものであって、例えば後述する実施例４、５ではマット素材層を三層とし、受圧適化部２の下面にマット素材層１Ｂ、１Ｃを設けている。
【００２３】
次に受圧適化部２は発泡マット素材１の全面積と同等としてもよいが、主として褥瘡予防用マットＭのほぼ中央部に患者Ｐが仰臥姿勢で寝ることを考慮すると、その体位幅程度でも充分であり、例えば長さ１７５０ｍｍ、幅７００ｍｍ、厚み５ｍｍ程度の範囲に形成されればよい。この受圧適化部２を構成するにあたっては、小片状のシート素材２０、例えば長さ３５０ｍｍ、幅７００ｍｍ、厚み５ｍｍ程度のシリコーンゲル素材のシート素材を用いる。そしてこの受圧適化部２を構成するシリコーンゲル素材はジェルテック社（現：株式会社タイカ）製αＧＥＬ（アルファゲル：登録商標）であって、例えばＪＩＳＫ２２０７規格針入度１７０程度の素材が好ましい。
【００２４】
なお図、１、２に示す実施の形態は、受圧適化部２はシート状のものであり、これが言わばサンドイッチ状にマット素材層１Ａ、１Ｂの間に設けられた状態をとるものであるが、更に図３に示すように発泡マット素材１と受圧適化部２との一体化を図る目的で、受圧適化部２に例えば数１０ｍｍ程度、一例として直径３０ｍｍ程度の接着強化孔２１をあけ、この部位においてマット素材層１Ａ、１Ｂとが接着されるようにして、言わば受圧適化部２を縫合状態に保持するような形態としてもよい。このような構成は受圧適化部２を構成するシリコーンゲル素材のシートが、図示のように小片分断化されたもの（小片状のシート素材２０）の場合、その配設位置の維持等が積極的に図り得る点で好ましい。また受圧適化部２は図１、３に示す実施の形態では、同一厚さのシート状のものであるが、図４に示すように部位によって受圧状態が異なることを考慮し、それに対応して厚さを変化させる等、受圧値に応じた受圧状態を変えられるような構成とすることも可能である。
【００２５】
更に全体を覆うカバーシート３は適宜通気性が確保できればよいものであり、織り目としてはできるだけ嵩高性を有するものがよい。従って織りと言うより編みに近い状態のいわゆるラッセル編み等の立体編みのものが適用できる一つの例である。なおこのカバーシート３そのものは褥瘡予防用マットＭから取り外して洗浄可能であることが好ましいが、更に防黴性、抗菌性等の治療機能を更に高めるような処理を施したものを適用することが好ましい。
【００２６】
更にこのような褥瘡予防用マットＭの少なくとも上面に設けるシーツ５はより頻繁な交換ができるようにするものであり、患者Ｐの状況に応じ、例えば失禁時の対応を考慮して撥水性を有するもの等、適宜のものが選択できる。
【実施例】
【００２７】
本発明の実施の形態は以上述べたようなものであり、具体的には以下表１〜５に示すような実施例１〜５を構成した。
【００２８】
【表１】
2011031066.tif 000003
【００２９】
【表２】
2011031066.tif 000004
【００３０】
【表３】
2011031066.tif 000005
【００３１】
【表４】
2011031066.tif 000006
【００３２】
【表５】
2011031066.tif 000007
【００３３】
これらの実施例によれば、図５に示すように受圧面積Ｓが例えば従来からの市販マットレスに比べ大きく取れ、且つ褥瘡多発症部位である仙骨部位ａにおける圧力が約３０ｍｍＨｇ以下と従来に比べ充分低下したものが得られた。
【符号の説明】
【００３４】
１    発泡マット素材
１Ａ  マット素材層
１Ｂ  マット素材層
１Ｃ  マット素材層
２    受圧適化部
３    カバーシート
５    シーツ
２０  小片状のシート素材
２１  接着強化孔
ａ    仙骨部位
Ｂ    ベッド
Ｍ    褥瘡予防用マット
Ｐ    患者
Ｓ    受圧面積
【図１】
2011031066.tif 000008
【図２】
2011031066.tif 000009
【図３】
2011031066.tif 000010
【図４】
2011031066.tif 000011
【図５】
2011031066.tif 000012